(57)【要約】      （修正有）【課題】自販機の前に立つ客層（年齢や性別や容姿など）や商品選択傾向を記録（あとから解析する）し、自販機自体の破壊や売上金窃取などの犯罪行為の抑止や、その周囲で起こる痴漢や強盗などの犯罪行為の証拠に対応できる自販機を提供する。【解決手段】壁面５に配置した商品見本６を透明板７で覆い、該透明板７に商品選択用ボタン８を備えた自販機１において、前記透明板７の内側に、前記商品選択用ボタン８を押そうとしている人を撮影できるようにレンズを向けたカメラ１３を設置したことを特徴とし、客層（年齢や性別や容姿など）の把握と商品選択の傾向（売れ筋）及び犯罪防止や犯人逮捕の手だすけができるように構成した。【選択図】図１
2014203221.tif 000002
【特許請求の範囲】
【請求項１】
壁面に配置した商品見本を透明板で覆い、該透明板に商品選択用ボタンを備えた自販機において、前記透明板の内側に、前記商品選択用ボタンを押そうとしている人を撮影できるようにレンズを向けたカメラを設置したことを特徴とする自販機。
【請求項２】
前記カメラが、動画対応であって２４時間稼働しているものであることを特徴とする請求項１に記載の自販機。
【請求項３】
前記カメラの設置が、レンズを透明板内面に密着させたことを特徴とする請求項１又は２に記載の自販機。
【発明の詳細な説明】
【技術分野】
【０００１】
本発明は、商品選択用ボタンを押そうとしている人を撮影できるカメラを内蔵した自販機に関するものである。
【背景技術】
【０００２】
一般に自販機は、コーヒー缶やジュース缶などの商品見本を並べ、その中から選択して所定額のコイン（又は紙幣）を投入して商品選択用ボタンを押すと所望の商品が商品取出口から取出せるようになっているもので、街中の各種店舗前、バス停の近傍、鉄道の駅前、道路際などに広く設置されている。したがって、自販機にカメラを設置すれば、その設置場所の近辺で生ずる種々の事故や犯罪などを監視することができる。この技術として、特開２００８−６５４２７号が開示されている。これは自販機自体の破壊や売上金の窃取などの犯罪に対応できるほか、その周囲で起こる痴漢や強盗などの犯罪検挙や逃走犯の足取りなどの確認及び証拠に有効に作用するものである。
【特許文献１】特願２００８−６５４２７号公報
【発明の開示】
【発明が解決しようとする課題】
【０００３】
しかしながら、従来の監視カメラを備えた自販機では、犯罪防止や犯人逮捕の手だすけが重視され、自販機を利用する客層（年齢や性別や容姿など）の把握や商品選択の傾向（売れ筋）の確認のためには殆ど重要視されていなかった。しかも、自販機に外付けされたカメラは犯罪者にとって至極邪魔な存在であって破壊され易いという問題があった。
【０００４】
本発明は、上記種々の課題を解決するもので、その目的とするところは、自販機を利用する客層の把握や商品選択の傾向（売れ筋）を記録（あとから解析）するほか、犯罪防止や犯人逮捕の手だすけを行うことのできる自販機を提供することにある。
【課題を解決するための手段】
【０００５】
上記目的を達成するため、本発明に係る自販機は、壁面に配置した商品見本を透明板で覆い、該透明板に商品選択用ボタンを備えた自販機において、前記透明板の内側に、前記商品選択用ボタンを押そうとしている人を撮影できるようにレンズを向けたカメラを設置したことを特徴とし、客層（年齢や性別や容姿など）の把握と商品選択の傾向（売れ筋）及び犯罪防止や犯人逮捕の手だすけができるように構成した。
【０００６】
また、請求項２に係る自販機は、前記カメラが、動画対応であって２４時間稼働しているものであることを特徴とし、客層の把握と商品選択の傾向を動画にて終日見張れるように構成した。
【０００７】
さらに、請求項３に係る自販機は、前記カメラの設置が、レンズを透明板内面に密着させたことを特徴とし、商品見本を照明するための照明器の光が透明板の内面に反射してレンズに影響をあたえないように構成した。
【発明の効果】
【０００８】
本発明によれば、商品見本を見ながら商品選択用ボタンを押す人の客層（年齢や性別や容姿など）や商品選択の傾向をカメラにて記録することができる上に、その周囲で起こる出来事をも記録できる。また、近くによればカメラの設置は判るが透明板の内側であるため遠目には目立たないため、犯罪者によって通りがかりにカメラを壊されてしまうようなことがないという優れた効果を奏するものである。
【０００９】
また、請求項２に係る自販機によれば、客層の把握と商品選択の傾向及びその周囲で起こる出来事を動画にて終日見張れるという優れた効果を奏するものである。
【００１０】
さらに、請求項３に係る自販機によれば、前記カメラの設置がレンズを透明板内面に密着させたため、商品見本を照らす照明器の光が透明板内面に反射してもレンズに影響をあたえないという優れた効果を奏するものである。
【発明を実施するための最良の形態】
【００１１】
次に、本発明の実施の態様について図面を参照して説明する。図１は本願自販機を示す一部切欠正面図、図２は本願自販機の一部切欠側面図、図３はレンズフードを透明板内面に密着させた場合の部分側面図である。
【００１２】
本願自販機１は、図１の如く、筐体２と、該筐体２の上方の前面をヒンジ部材２′を介して開閉可能に取り付けた扉３とからなる。該扉３は、鍵（図示せず）によりロックできるようになっている（扉３は筐体２を全面的に覆うものでもよい）。前記筐体２の内部には、販売（提供）しようとするに商品（図示せず）が収容されているとともに、販売（提供）時に商品取出口４へ商品をシュートさせるためのシュート機器（図示せず）や冷熱機器（図示せず）などが備えられている。
【００１３】
前記扉３の内部には、壁面５に配置した商品見本６が設けられ、これらを透明板７で覆っている。また、前記扉３の透明板７の表面には、前記商品見本６に対応する商品選択用ボタン８が備えられている。なお、前記透明板７を含めて商品見本６及び商品選択用ボタン８は画像表示されていることもある。前記透明板７は、その内面側が防曇（曇り止め）処理がされている。これは湿気により曇ってしまって商品見本６が見え難くならないようにしている。前記扉３の下側の筐体２には硬貨投入口９、紙幣投入口１０、おつり返却口１１が備えられている。
【００１４】
前記透明板７の内側には、商品選択用ボタン８を押そうとしている人（図示せず）を、撮影できるようにレンズ１２を向けたカメラ１３が前記壁面５に設置されている。これは本願自販機１を利用する客層（年齢や性別や容姿など）の把握と、商品選択の傾向（売れ筋）を知るために重要である。また、前記カメラ１３は、動画対応であって２４時間稼働しているものが好ましい。すなわち、商品選択用ボタン８を押そうとしている人を撮影するほか、その人がその場から去った後もそのまま稼働し、その前方及び周辺を撮り続けて防犯カメラ（監視カメラ）として終日見張れるように機能することが好ましい。
【００１５】
前記カメラ１３が撮影した画像は、前記筐体２内に備えた画像記録部（ハードディスクやフラッシュメモリ）１４に保存（記録）されるようになっている。この画像の保存の形式は自由である。画像記録部１４は通常は記録領域の容量がある限り保存される。尤も、容量が足りなくなった後は古い方から削除していく方式のものでもよい。勿論、画像記録部１４での保存は磁気テープでもよいが、ハードディスクやフラッシュメモリの方が画質はよい。
【００１６】
前記画像記録部１４で保存されたデータは、本願自販機１によりコピーして解析されるが、警察から画像の提供を依頼されることもある。再生しながらビデオテープにダビングすることも可能である。なお、契約している警備会社や商品販売会社などにインターネットを通じて転送できるようにしてもよい。
【００１７】
前記カメラ１３の設置は、図３の如く、レンズフード１２′を透明板３の内面に密着させ、商品見本６を照らすための照明器（図示せず）の光が透明板３の内面に反射してもレンズに影響をあたえないようにしている。
【００１８】
前記カメラ１３は、前記壁面５の裏側に設置し、レンズを壁面５に開けた透孔（図示せず）より覗かせるようにすることも可能である。なお、カメラ１３の存在は、肖像権やプライバシーの問題も生じないわけでもないので、壁面５の適所に撮影の趣旨や目的等の断り書きをし、上記問題の生じないように努めることも必要である。
【００１９】
次に、本願自販機１の作用を説明する。まず、本願自販機１の前に立ち、硬貨投入口に硬貨（コイン）を投入する。次いで、投入コインに見合った商品見本６に対応して設けた商品選択用ボタン８のうち、必要なものを押す。
【００２０】
この商品選択用ボタン８を押そうとしている人は、前記透明板７の内側に設置されているカメラにより撮影される。これは、その人の年齢や性別や容姿などの統計を具体的に取ることと、求める商品の傾向を知ることができるからである。
【００２１】
特に、前記カメラ１３が、動画対応であって２４時間稼働しているものであるならば、商品選択用ボタン８を押した人がその場から去った後もそのまま稼働し続けることによりその前方及び周辺を撮り続けるから、画像記録部１４で保存された中に犯罪行為の瞬間や、自販機の前を逃走する犯人を撮影でき、証拠として採用できるようになるからである。なお、人がカメラの前から去ったことをキッカケとして監視カメラ機能に切り替わるように構成することは可能である。
【００２２】
前記画像記録部１４で保存された記録はコンピュータ（図示せず）などにより解析すると、自販機の前に立って商品選択用ボタン８を押そうとしている人の年齢や性別や容姿などの統計を具体的に取ることができる上に、求める商品の傾向を知ることもできる。
【００２３】
前記カメラ１３は、商品見本６を並べた壁面６の裏面に隠し、レンズのみを露出させるようにすることも可能である。カメラの存在は肖像権やプライバシーの問題から隠す方が良いかについては議論のあるな処であるが、趣旨や目的を明確にすることにより理解できるものと思われる。
【産業上の利用可能性】
【００２４】
本願自販機は、商品見本を覆った透明板の内側に、前記商品選択用ボタンを押そうとしている人を撮影できるカメラを設置してなるもので、客層の把握と商品の売れ筋の傾向がわかるほか、犯罪行為の防止や犯人逮捕の手だすけができることから、広く産業上の利用可能性は高いものである。
【図面の簡単な説明】
【００２５】
【図１】本願自販機を示す一部切欠正面図である。
【図２】本願自販機の一部切欠側面図である。
【図３】レンズフードを透明板内面に密着させた場合の部分側面図である。
【符号の説明】
【００２６】
１  本願自販機
２  筐体
３  扉
４  商品取出口
５  壁面
６  商品見本
７  透明板
８  商品選択用ボタン
９  硬貨投入口
１０  紙幣投入口
１１  おつり返却口
１２  レンズ
１２′  レンズフード
１３  カメラ
１４  画像記録部
【図１】
2014203221.tif 000003
【図２】
2014203221.tif 000004
【図３】
2014203221.tif 000005